(57)【要約】【課題】アクセサリソケット全体の最大供給電力を変更することなくアクセサリソケットの個数を増設することができるアクセサリソケット回路を提供する。【解決手段】本発明のアクセサリソケット回路１においては、正特性サーミスタなどの電流制限部が個別に配設されていない２個の第１のアクセサリソケット２が並列に接続されている。また、電流制限回路３は、２個の第１のアクセサリソケット２の接続点Ｐ１の前段において２個の第１のアクセサリソケット２の合計最大消費電流以下の電流を出力するように形成されている。【選択図】図１
2012025298.tif 000002
【特許請求の範囲】
【請求項１】
電流制限部を個別に有しておらず、かつ、並列に接続されている複数個の第１のアクセサリソケットと、
前記複数個の第１のアクセサリソケットが互いに接続された第１の接続点と電流供給源との間に接続されているとともに、前記複数個の第１のアクセサリソケットの合計最大消費電流以下の電流を前記第１の接続点に出力する電流制限回路と
を備えていることを特徴とするアクセサリソケット回路。
【請求項２】
電流制限部を個別に有しておらず、かつ、前記第１のアクセサリソケットに係る合計最大消費電流よりも小さな合計最大消費電流に設定されている１個又は複数個の第２のアクセサリソケットを備えており、
前記電流制限回路は、前記第１のアクセサリソケットに係る合計最大消費電流以下の電流を第１の接続点に出力する第１の出力端子と、前記第２のアクセサリソケットに係る合計最大消費電流以下の電流を前記１個の第２のアクセサリソケット又は前記複数個の第２のアクセサリソケットが互いに接続された第２の接続点に出力する第２の出力端子とを有している
ことを特徴とする請求項１に記載のアクセサリソケット回路。
【請求項３】
前記電流制限回路は、前記１個又は複数個の第２のアクセサリソケットの合計最大消費電流以下の電流を出力する特定電流制限素子を含み、かつ、合計制限電流が前記第１のアクセサリソケットに係る合計最大消費電流となるように互いに並列に接続された複数個の電流制限素子と、前記第２の出力端子に接続された前記特定電流制限素子の出力端と前記第１の出力端子に接続された前記特定電流制限素子以外の前記電流制限素子の出力端とを接続するとともに前記特定電流制限素子以外の前記電流制限素子の出力端から出力された電流が前記特定電流制限素子の出力端に流入することを阻止するダイオードと、を有している
ことを特徴とする請求項１または請求項２に記載のアクセサリソケット回路。
【請求項４】
前記電流制限回路と前記電流供給源との間に並列に接続されているとともに、電流制限部を個別に有する１個又は複数個の第３のアクセサリソケットと、
前記電流制限回路及び前記第３のアクセサリソケットが互いに接続された第３の接続点と前記電流供給源との間に接続されているとともに、前記第１のアクセサリソケットに係る最大消費電流及び前記第３のアクセサリソケットに係る最大消費電流を足して得た値以上の電流を遮断する過電流遮断素子と
を備えることを特徴とする請求項１から請求項３のいずれか１項に記載のアクセサリソケット回路。
【発明の詳細な説明】
【技術分野】
【０００１】
本発明は、アクセサリソケット回路に係り、特に、複数個のアクセサリソケットを搭載する可能性のあるキャンピングカーやワンボックスカーに好適に利用できるアクセサリソケット回路に関する。
【背景技術】
【０００２】
従来技術として、特許文献１のシガレットライタが開示されている。このシガレットライタは、シガーソケット（アクセサリソケット）に押込み移動可能に設けられ先端部に発熱部を有して常には原位置方向に付勢されたライタプラグと、前記シガーソケットの奥部に配設され前記ライタプラグが原位置から押込み移動されたときにその先端部を係止するとともに前記発熱部に通電し設定温度を感知すると前記係止を解除するバイメタルフィンガと、前記シガーソケットの奥壁外側に取付けられ前記発熱部の通電路に介在された正特性サーミスタとを具備している。
【先行技術文献】
【特許文献】
【０００３】
【特許文献１】実開昭６０−１３１４３９号公報
【発明の概要】
【発明が解決しようとする課題】
【０００４】
近年、キャンピングカーやワンボックスカーなどの自家用大型自動車の普及に伴い、車内における電源供給源の１つとなるアクセサリソケットの複数個設置を要望する声が高まってきている。
【０００５】
しかし、自動車はアクセサリソケット以外の部品にも電力を供給しなければならないため、アクセサリソケット全体の最大供給電力を変更できない場合、アクセサリソケットを増設してもそれに比例してその供給電流を増加させることができないという問題があった。
【０００６】
従って、本発明の目的は、アクセサリソケット全体の最大供給電力を変更することなくアクセサリソケットの個数を増設することができるアクセサリソケット回路を提供することにある。
【課題を解決するための手段】
【０００７】
［１］本発明は、上記目的を達成するため、電流制限部を個別に有しておらず、かつ、並列に接続されている複数個の第１のアクセサリソケットと、複数個の第１のアクセサリソケットが互いに接続された第１の接続点と電流供給源との間に接続されているとともに、複数個の第１のアクセサリソケットの合計最大消費電流以下の電流を第１の接続点に出力する電流制限回路とを備えていることを特徴とするアクセサリソケット回路を提供する。
【０００８】
［２］また、電流制限部を個別に有しておらず、かつ、第１のアクセサリソケットに係る合計最大消費電流よりも小さな合計最大消費電流に設定されている１個又は複数個の第２のアクセサリソケットを備えており、電流制限回路は、第１のアクセサリソケットに係る合計最大消費電流以下の電流を第１の接続点に出力する第１の出力端子と、第２のアクセサリソケットに係る合計最大消費電流以下の電流を１個の第２のアクセサリソケット又は複数個の第２のアクセサリソケットが互いに接続された第２の接続点に出力する第２の出力端子とを有していることを特徴とする上記［１］に記載のアクセサリソケット回路であってもよい。
【０００９】
［３］また、電流制限回路は、１個又は複数個の第２のアクセサリソケットの合計最大消費電流以下の電流を出力する特定電流制限素子を含み、かつ、合計制限電流が第１のアクセサリソケットに係る合計最大消費電流となるように互いに並列に接続された複数個の電流制限素子と、第２の出力端子に接続された特定電流制限素子の出力端と第１の出力端子に接続された特定電流制限素子以外の電流制限素子の出力端とを接続するとともに特定電流制限素子以外の電流制限素子の出力端から出力された電流が特定電流制限素子の出力端に流入することを阻止するダイオードとを有していることを特徴とする上記［１］又は［２］に記載のアクセサリソケット回路であってもよい。
【００１０】
［４］また、電流制限回路と電流供給源との間に並列に接続されているとともに、電流制限部を個別に有する１個又は複数個の第３のアクセサリソケットと、電流制限回路及び第３のアクセサリソケットが互いに接続された第３の接続点と電流供給源との間に接続されているとともに、第１のアクセサリソケットに係る最大消費電流及び第３のアクセサリソケットに係る最大消費電流を足して得た値以上の電流を遮断する過電流遮断素子とを備えることを特徴とする上記［１］から［３］のいずれか１に記載のアクセサリソケット回路であってもよい。
【発明の効果】
【００１１】
本発明の一形態によれば、第１及び第２のアクセサリソケットに設置されていた電流制限部を廃止し、かつ、それらの前段に共通の電流制御回路を配置することにより第１及び第２のアクセサリソケットに流れる最大電流を制御するなどの種々の作用が生じるので、アクセサリソケット全体の最大供給電力を変更することなくアクセサリソケットの個数を増設することができるアクセサリソケット回路を提供することができる。
【図面の簡単な説明】
【００１２】
【図１】図１は、本発明の第１の実施の形態に係るアクセサリソケット回路を示す等価回路図である。
【図２】図２は、第２の実施の形態に係るアクセサリソケット回路を示す等価回路図である。
【図３】図３は、第３の実施の形態に係るアクセサリソケット回路を示す等価回路図である。
【発明を実施するための形態】
【００１３】
以下、本発明に係る実施の形態の一例である第１から第３の実施の形態を説明する。
【００１４】
（第１の実施の形態）
第１の実施の形態のアクセサリソケット回路１は、図１に示すように、２個の第１のアクセサリソケット２及び電流制限回路３を備えている。また、第１の実施の形態のアクセサリソケット回路１は、任意の部材として、過電流遮断素子４を備えている。
【００１５】
第１のアクセサリソケット２は、従来のアクセサリソケットとは異なり、正特性サーミスタ（ＰＴＣサーミスタ）などの電流制限部を個別に有していないアクセサリソケットである。そして、２個の第１のアクセサリソケット２は、並列に接続されている。第１のアクセサリソケット２の定格電流については各実施の形態に応じて自由に設定することが可能である。本実施の形態において、第１のアクセサリソケット２の定格電流はそれぞれ３０Ａに設定されている。なお、定格電圧については、１２Ｖ車や２４Ｖ車など対応車両のバッテリ電圧に応じて設定すればよい。
【００１６】
電流制限回路３は、図１に示すように、自動車用バッテリやオルタネータなどの電流供給源５と第１の接続点Ｐ１との間に接続されている。第１の接続点Ｐ１とは、２個の第１のアクセサリソケット２が互いに接続された点である。この電流制限回路３は、２個の第１のアクセサリソケット２の合計最大消費電流以下の電流を第１の接続点Ｐ１に出力するような回路構成になっている。
【００１７】
前述した第１のアクセサリソケット２に係る合計最大消費電流とは、２個の第１のアクセサリソケット２が消費可能な合計電流を示しており、２個の第１のアクセサリソケット２の合計定格電流とは異なる。例えば、２個の第１のアクセサリソケット２が消費可能な合計電流が３０Ａの場合、第１のアクセサリソケット２に係る合計定格電流は６０Ａであるが、第１のアクセサリソケット２に係る合計最大消費電流は３０Ａとなる。
【００１８】
ここで、電流制限回路３は、その回路構成の一例として、図１に示すように、合計制限電流が所望の電流となるように並列接続された複数個の電流制限素子３ａを有している。第１の実施の形態においては、複数個の電流制限素子３ａとして、制限電流１０Ａの正特性サーミスタが３個用いられている。
【００１９】
なお、図示はしないが、電流制限回路３として、制限電流が所望の電流となる１個の電流制限素子（例えば制限電流３０Ａの１個の正特性サーミスタ）を用いてもよい。
【００２０】
過電流遮断素子４は、電流制限回路３と電流供給源５との間に接続されている。この過電流遮断素子４は、第１のアクセサリソケット２に係る最大消費電流以上の電流を遮断するように形成されている。例えば、第１のアクセサリソケット２に係る最大消費電流が３０Ａである場合、過電流遮断素子４に電流が３０Ａ以上流れたときにはその電流を遮断するように過電流遮断素子４が形成されている。本実施の形態においては、過電流遮断素子４として、定格３０Ａの自動車用電力ヒューズが用いられている。
【００２１】
（第１の実施の形態の作用）
第１の実施の形態のアクセサリソケット回路１においては、図１に示すように、正特性サーミスタなどの電流制限部が個別に配設されていない２個の第１のアクセサリソケット２が並列に接続されており、電流制限回路３が第１の接続点Ｐ１の前段に配設されている。これにより、正特性サーミスタなどの電流制限部を２個の第１のアクセサリソケット２に個別に配設しなくてもよいので、電流制限部の使用個数を削減することができる。
【００２２】
また、電流制限回路３は２個の第１のアクセサリソケット２の合計最大消費電流以下の電流を出力するように形成されている。これにより、第１のアクセサリソケット２に係る合計消費電流（例えば３０Ａ）が第１のアクセサリソケット２の合計定格電流（例えば６０Ａ）よりも小さい値を所望する場合であったとしても、第１のアクセサリソケット２に係る合計消費電流以上の電流が２個の第１のアクセサリソケット２に供給されることを防止することができる。その結果、電流の過剰消費を防止することができる。
【００２３】
（第２の実施の形態）
第２の実施の形態のアクセサリソケット回路１は、図２に示すように、２個の第１のアクセサリソケット２、１個の第２のアクセサリソケット６及び電流制限回路３を備えている。また、第２の実施の形態のアクセサリソケット回路１は、第１の実施の形態と同様、任意の部材として、過電流遮断素子４を備えている。
【００２４】
ここで、第２の実施形態と第１の実施形態との相違点は１個の第２のアクセサリソケット６及び電流制限回路３に係る構成であり、他の部分については第１の実施形態と共通するため、その相違点について以下に説明する。
【００２５】
１個の第２のアクセサリソケット６は、図２に示すように、第１のアクセサリソケット２と同様、正特性サーミスタなどの電流制限部を個別に有していないアクセサリソケットである。この第２のアクセサリソケット６の定格電流については各実施の形態に応じて自由に設定することが可能である。本実施の形態において、第２のアクセサリソケット６の定格電流は１０Ａに設定されている。なお、定格電圧については、１２Ｖ車や２４Ｖ車など対応車両のバッテリ電圧に応じて設定すればよい。
【００２６】
また、この第２のアクセサリソケット６に係る合計最大消費電流（第２のアクセサリソケット６が１個の場合、第２のアクセサリソケット６に係る合計最大消費電流は第２のアクセサリソケット６の最大消費電流である。）は、第１のアクセサリソケット２に係る合計最大消費電流よりも小さな値に設定されている。例えば、第１のアクセサリソケット２に係る所望の合計最大消費電流が３０Ａである場合、第２のアクセサリソケット６に係る合計最大消費電流は１０Ａとなる。
【００２７】
なお、１個の第２のアクセサリソケット６の代わりとして、並列接続された複数個の第２のアクセサリソケット６を用いる場合であっても、複数個の第２のアクセサリソケット６の各最大消費電力を合計した第２のアクセサリソケット６に係る合計最大消費電流は上記した値（例えば１０Ａ）と変わらない。
【００２８】
電流制限回路３は、図２に示すように、第１の接続点Ｐ１と電流供給源５との間及び１個の第２のアクセサリソケット６と電流供給源５との間に接続されている。この電流制限回路３は、第１の出力端子３ｃ１及び第２の出力端子３ｃ２を有している。第１の出力端子３ｃ１は、第１のアクセサリソケット２に係る合計最大消費電流以下の電流を第１の接続点Ｐ１に出力するように形成されている。また、第２の出力端子３ｃ２は、第２のアクセサリソケット６に係る合計最大消費電流以下の電流を１個の第２のアクセサリソケット６に出力するように形成されている。
【００２９】
なお、図示はしないが、第２のアクセサリソケット６を複数個用いた場合、第２の出力端子３ｃ２は、第１のアクセサリソケット２に係る第１の接続点Ｐ１と同様、第２のアクセサリソケット６が互いに接続された第２の接続点に接続される。
【００３０】
また、電流制限回路３は、図２に示すように、任意の部材として、３個の電流制限素子３ａ、３ｂ及びダイオード３ｄを有している。
【００３１】
３個の電流制限素子３ａ、３ｂは、第２のアクセサリソケット６に係る合計最大消費電流以下の電流を出力する特定電流制限素子３ｂを含んでいる。また、これら３個の電流制限素子３ａ、３ｂは、その合計制限電流が第１のアクセサリソケット２に係る合計最大消費電流となるように互いに並列に接続されている。つまり、特定電流制限素子３ｂの制限電流は第２のアクセサリソケット６に係る合計最大消費電流と同じ値に設定されており、３個の電流制限素子３ａ、３ｂの合計制限電流は第１のアクセサリソケット２に係る合計最大消費電流になっている。そして、特定電流制限素子３ｂの出力端は第２の出力端子３ｃ２に直接接続されており、特定電流制限素子３ｂ以外の電流制限素子３ａの出力端は第１の出力端子３ｃ１に直接接続されている。
【００３２】
ここで、第２の実施形態においては、図２に示すように、第２のアクセサリソケット６に係る合計最大消費電流が１０Ａであり、第１のアクセサリソケット２に係る合計最大消費電流が３０Ａであるので、制限電流１０Ａの１個の正特性サーミスタを特定電流制限素子３ｂとし、並列接続された３個の正特性サーミスタの合計制限電流が３０Ａとなるように３個の電流制限素子３ａ、３ｂが設定されている。
【００３３】
ダイオード３ｄは、図２に示すように、特定電流制限素子３ｂの出力端と第１の出力端子３ｃ１に接続された特定電流制限素子３ｂ以外の電流制限素子３ａの出力端との間に接続されている。また、ダイオード３ｄは、特定電流制限素子３ｂ以外の電流制限素子３ａの出力端から出力された電流が特定電流制限素子３ｂの出力端に流入することを阻止するように接続されている。第２の実施形態においては、ダイオード３ｄのアノードが特定電流制限素子３ｂの出力端に接続されており、そのカソードは特定電流制限素子３ｂ以外の電流制限素子３ａの出力端に接続されている。
【００３４】
（第２の実施の形態の作用）
第２の実施の形態のアクセサリソケット回路１によれば、図２に示すように、電流制限回路３が、２個の第１のアクセサリソケット２に対して第１のアクセサリソケット２に係る合計最大消費電流以下の電流を出力し、かつ、１個の第２のアクセサリソケット６に対して第２のアクセサリソケット６に係る合計最大消費電流以下の電流を出力するので、合計最大消費電流が異なるアクセサリソケット、すなわち定格電流が異なるアクセサリソケットを複数個用いても、第１のアクセサリソケット２又は第２のアクセサリソケット６に対して所望の合計消費電流以上の電流が供給されることを防止することができる。その結果、電流の過剰消費を防止することができる。
【００３５】
また、電流制限回路３は、図２に示すように、上記の通りに接続された特定電流制限素子３ｂを含む複数個の電流制限素子３ａ、３ｂ及びダイオード３ｄを有しているので、簡易な回路構成により上記の作用を生じさせることができる。
【００３６】
（第３の実施の形態）
第３の実施の形態のアクセサリソケット回路１は、図３に示すように、２個の第１のアクセサリソケット２、１個の第２のアクセサリソケット６及び電流制限回路３を備えている。また、第３の実施の形態のアクセサリソケット回路１は、第３のアクセサリソケット７及び過電流遮断素子４を備えている。
【００３７】
ここで、第３の実施形態と第２の実施形態との相違点は第３のアクセサリソケット７及び過電流遮断素子４であり、他の部分については第２の実施形態と共通するため、その相違点について以下に説明する。
【００３８】
１個の第３のアクセサリソケット７は、図３に示すように、電流制限回路３と電流供給源５との間に並列に接続されている。この１個の第３のアクセサリソケット７は、従来と同様、アクセサリソケット本体７ｂに正特性サーミスタなどの電流制限部７ａを個別に有する。この第３のアクセサリソケット７の定格電流については各実施の形態に応じて自由に設定することが可能である。本実施の形態において、第３のアクセサリソケット７の定格電流は１０Ａに設定されている。なお、定格電圧については、１２Ｖ車や２４Ｖ車など対応車両のバッテリ電圧に応じて設定すればよい。また、第３のアクセサリソケット７に係る電流制限部７ａの制限電流は、第３の定格電流と同様の値に設定されている。
【００３９】
なお、１個の第３のアクセサリソケット７の代わりとして、並列接続された複数個の第３のアクセサリソケット７を用いる場合であっても、複数個の第３のアクセサリソケット７の各最大消費電力を合計した第３のアクセサリソケット７に係る合計最大消費電流は上記した値（例えば１０Ａ）と変わらない。
【００４０】
過電流遮断素子４は、図３に示すように、第３の接続点Ｐ３と電流供給源５との間に接続されている。第３の接続点Ｐ３とは、電流制限回路３及び第３のアクセサリソケット７が互いに接続された箇所である。また、この過電流遮断素子４は、自動車用電力ヒューズなどであり、第１のアクセサリソケット２に係る最大消費電流及び第３のアクセサリソケット７に係る最大消費電流を足して得た値以上の電流を遮断するように形成されている。
【００４１】
ここで、第３の実施形態においては、図３に示すように、第１のアクセサリソケット２に係る合計最大消費電流が３０Ａ、第３のアクセサリソケット７に係る合計最大消費電流が１０Ａであるので、過電流遮断素子４の遮断電流は４０Ａに設定されている。
【００４２】
（第３の実施の形態の作用）
第３の実施の形態のアクセサリソケット回路１によれば、第３のアクセサリソケット７が電流制限回路３よりも下流側の回路と並列に接続されているので、第３のアクセサリソケット７について電流制限回路３よりも下流側の回路と独立した回路を構成することができる。これにより、第１のアクセサリソケット２や第２のアクセサリソケット６の供給電流に影響を受けることなく第３のアクセサリソケット７に電流を供給することができる。
【００４３】
（本実施の形態の効果）
本発明の実施の形態によれば、第１及び第２のアクセサリソケットに設置されていた電流制限素子を廃止し、かつ、それらの前段に共通の電流制御回路を配置することにより第１及び第２のアクセサリソケットに流れる最大電流を制御するなどの種々の作用が生じるので、アクセサリソケット全体の最大供給電力を変更することなくアクセサリソケットの個数を増設することができるアクセサリソケット回路を提供することができる。
【００４４】
尚、本発明の実施の形態は、上記示した形態に限られず、本発明の趣旨を逸脱しない範囲で種々の変更が可能である。
【符号の説明】
【００４５】
１・・・アクセサリソケット回路、２・・・第１のアクセサリソケット、３・・・電流制限回路、３ａ・・・電流制限素子、３ｂ・・・特定電流制限素子、３ｃ１・・・第１の出力端子、３ｃ２・・・第２の出力端子、３ｄ・・・ダイオード、４・・・過電流遮断素子、５・・・電流供給源、６・・・第２のアクセサリソケット、７・・・第３のアクセサリソケット、７ａ・・・電流制限部、７ｂ・・・アクセサリソケット本体、Ｐ１・・・第１の接続点、Ｐ３・・・第３の接続点
【図１】
2012025298.tif 000003
【図２】
2012025298.tif 000004
【図３】
2012025298.tif 000005